(57)【要約】【課題】建築物における断熱を十分に確保するとともに、施工にあたって廃棄する端材を極力少なくし、屋外からの雨水の浸入を防ぎ、結露にも対抗することができる建築物の断熱工法を提供する。【解決手段】ボードを、該ボードが建物の屋外側に位置するようにして柱・間柱、土台・窓まわりの屋外側に配設し、上記ボードの屋内側に真空断熱材ユニットを接着又は両面テープで固定すると共に、上記ボードと柱・間柱、土台・窓まわりの室内側に配設した内壁下地との空隙に硬質ウレタン樹脂発泡性液を発泡させて吹き付けて硬質ウレタン樹脂発泡層を形成し、又は、前記ボードと柱・間柱、胴差し・軒桁、土台・窓まわりの室内側に配設する内壁下地との空隙にセルロースファイバーを吹き込み、アルミニウム複合遮熱シートの屋外側に上下方向に空気が流通する通気胴縁を介在させて外壁材を配設する。【選択図】図１
2015218533.tif 000002
【特許請求の範囲】
【請求項１】
ボードを、柱・間柱、胴差し・軒桁、土台・窓まわりの屋外側に釘打ちする工程と、
前記ボードの屋内側に真空断熱材ユニットを接着又は両面テープで取り付ける工程と、
前記ボードと柱・間柱、胴差し・軒桁、土台・窓まわりの室内側に配設する内壁下地との空隙に硬質ウレタン樹脂発泡性液を発泡させて吹き付けて硬質ウレタン樹脂発泡層を形成し、又は、前記ボードと柱・間柱、胴差し・軒桁、土台・窓まわりの室内側に配設する内壁下地との空隙にセルロースファイバーを吹き込む工程と、
前記ボードの端縁と前記柱・間柱、胴差し・軒桁、土台・窓まわりとの接合部分にボードの屋外側から防水テープを貼着する工程と、
前記ボードの屋外側に上下方向に空気が流通する通気胴縁を介在させて外壁材を配設する工程と、を備えることを特徴とする建築物の断熱工法。
【請求項２】
前記ボードの屋外側に、アルミニウム複合遮熱シート又は透湿防水シートを貼着する工程が含まれる、ことを特徴とする請求項１に記載される建築物の断熱工法。
【請求項３】
前記アルミニウム複合遮熱シートは、アルミニウム箔とポリエチレンラミネート層とポリエチレン繊維織布とを順次積層して構成される、ことを特徴とする請求項２に記載される建築物の断熱工法。
【請求項４】
ホウ素系防腐剤を前記ボードが取り付けられる建物の木部に塗布する、ことを特徴とする請求項１乃至３のいずれか１項に記載される建築物の断熱工法。
【発明の詳細な説明】
【技術分野】
【０００１】
本発明は、屋外雰囲気と建築物内部との熱の移動を極力抑えて、省エネルギーの室内温度調節を行うに好適な、建築物の断熱工法に関する。
【背景技術】
【０００２】
住宅等の建築物にあっては、屋外の冷気や熱気を遮断する断熱材として、従来からグラスウール、ロックウール、ウレタンボード、発泡合成樹脂材等が用いられている。また、外気熱を反射する遮熱材としては、ポリエチレン樹脂系気泡シートの片面にアルミニウム箔を貼り付けたものが用いられている。
そして、これらの断熱材と遮熱材を組み合わせた、発泡合成樹脂ボードにアルミニウム箔を貼り合わせた板状のアルミニウム熱線反射材も存在しており、これを、柱、軒桁、土台、窓まわり等の屋外側に取り付け、柱、軒桁、土台、窓まわり等の屋内側との間隔区画内に、液状の硬質ウレタン樹脂発泡材を吹き付けて発泡させて充填する断熱工法が存在している（特許文献１参照）。
【０００３】
このアルミニウム箔とポリエチレン系発泡シートを結合して形成したアルミニウム熱線反射材と、硬質ウレタン樹脂発泡層とを組合せることにより、断熱、遮熱、保温及び防露に優れた性能を発揮するものである。
【先行技術文献】
【特許文献】
【０００４】
【特許文献１】特開２００７−１３８５５８号公報
【発明の概要】
【発明が解決しようとする課題】
【０００５】
しかしながら、上記特許文献１に記載された断熱材及びその工法にあっては、例えば柱・間柱、土台、窓まわりの屋外側にボード状のアルミニウム熱線反射材を固定する際に、施工個所の寸法に合わせて定形のアルミニウム熱線反射材を切断することから、廃棄する端材が生じ、無駄が発生せざるを得なかった。また、断熱材の端部に、気密テープを貼着して隙間を塞ぐものの、その気密テープ部分から雨水が浸入するおそれがあり、一層の防水対策が求められていた。
加えて、省エネルギー基準による地域区分で、厳冬期には−２０℃にもなるＩ地域の北海道や、II地域の東北・長野の山間部などの寒冷地においては、特に断熱効果が大きい断熱構造が用いられているが、暖房を効かせた屋内と屋外との温度差が大きいことから、上記のような断熱構造の室内側に結露を生じることが多々あり、この水分や湿気が建物の木材等を腐らせる原因ともなっていた。
【０００６】
本発明は、前述の事情に鑑みて為されたものであって、建築物における断熱効果を十分に高めるとともに、施工にあたって廃棄する端材を極力なくし、かつ屋外からの雨水の浸入を防ぎ、結露にも対処することができる建築物の断熱工法を提供することを目的とするものである。
【０００７】
本発明の建築物の断熱工法は、ボードを、柱・間柱、胴差し・軒桁、土台・窓まわりの屋外側に釘打ちする工程と、前記ボードの屋内側に真空断熱材ユニットを接着又は両面テープで取り付ける工程と、
前記ボードと柱・間柱、胴差し・軒桁、土台・窓まわりの室内側に配設する内壁下地との空間に硬質ウレタン樹脂発泡性液を発泡させて吹き付けて硬質ウレタン樹脂発泡層を形成し、又は、前記ボードと柱・間柱、胴差し・軒桁、土台・窓まわりの室内側に配設する内壁下地との空間にセルロースファイバーを吹き込む工程と、前記ボードの端縁と前記柱・間柱、胴差し・軒桁、土台・窓まわりとの接合部分にボードの屋外側から防水テープを貼着する工程と、前記ボードの屋外側に上下方向に空気が流通する通気胴縁を介在させて外壁材を配設する工程と、を備えることを特徴とする。
これにより、本発明の建築物の断熱工法によれば、ボードの屋内側に真空断熱材ユニットを接着又は両面テープで取り付けることで、真空断熱材ユニットの高い断熱効果により屋内外の熱伝導を強力に妨げ、さらに、ボードと柱・間柱、胴差し・軒桁、土台・窓まわりの室内側に配設する内壁下地との空間に硬質ウレタン樹脂発泡性液を発泡させて吹き付けて硬質ウレタン樹脂発泡層を隙間なく形成し、又は、ボードと柱・間柱、胴差し・軒桁、土台・窓まわりの室内側に配設する内壁下地との空間にセルロースファイバーを吹き込んでセルロースファイバー層を隙間なく形成するものであるから、単に硬質ウレタン樹脂発泡層やセルロースファイバー層からなる断熱構造に比べて、格段の断熱効果を発揮することができる。このように、室外からの熱は、真空断熱材ユニットにより高い断熱性能の一次断熱作用を受け、次いで、硬質ウレタン樹脂発泡層やセルロースファイバー層により二次断熱作用を受けることにより、より確実に断熱することができる。またボードは、不燃石膏ボードやコンクリートボードなどを使用して柱・間柱、胴差し・軒桁、土台・窓まわりなどに釘打ちするので、柱・間柱、胴差し・軒桁、土台・窓まわりの補強のための筋交いなどを設ける必要がなく、ボードに真空断熱材ユニットを両面テープあるいは接着により取り付ける作業が筋交いにより制約されることがないから建築工事の内容が単純化されると共に効率化する。それに加え、防水テープを屋外側からボードの端縁に貼着することにより、ボードの端縁からの雨水の浸入を防いで好適な防水機能を発揮することができる。
【０００８】
また、ボードの屋外側に、アルミニウム複合遮熱シート又は透湿防水シートを貼着する工程が含まれること、を特徴とする。
このように、アルミニウム複合遮熱シートは、厚さが約０．１２ミリメートルときわめて薄いにも拘わらず、破裂強度と引張り強度が大きいことから施工性に優れると共に太陽熱の遮熱効果が高い。透湿防水シートを貼付すれば、防水性を向上するにも拘わらず外気の流通性を確保することができる。
【０００９】
また、アルミニウム複合遮熱シートは、アルミニウム箔とポリエチレンラミネート層とポリエチレン繊維織布とを順次積層して構成される、ことを特徴とする。
積層構造のアルミニウム複合遮熱シートは、破裂強度と引張り強度が大きい。
【００１０】
また、ホウ素系防腐剤を前記ボードが取り付けられる建物の木部に塗布する、ことを特徴とする。
これにより、建築材の耐久性が向上して、有効な屋内側の結露対策となる。
【図面の簡単な説明】
【００１１】
【図１】本発明に係る建築物の断熱工法を示す説明図である。
【図２】本発明に係る建築物の断熱工法に用いられる真空断熱材ユニットの断面説明図である。
【図３】本発明に用いられる建築物の断熱工法に用いるアルミニウム複合遮熱シートの説明図である。
【発明を実施するための形態】
【００１２】
以下、添付図面を参照しながら、本発明に係る建築物の断熱工法の形態を詳細に説明する。図１〜図３は、本発明の実施の形態を例示する図であり、これらの図において、同一の符号を付した部分は同一物を表わし、基本的な構成及び動作は同様であるものとする。
【００１３】
＜構成＞
図１は、本発明の一実施形態を示しており、木造在来工法における住宅の壁構造、特に土台まわりを表している。図中１は壁構造、２は胴差し・軒桁、３は土台、４はボード、５は真空断熱材ユニット、６は硬質ウレタン樹脂発泡層、または、セルロースファイバー層、７は外壁材、８はプラスターボード等の内壁下地、９は通気胴縁である。図１に土台３として記載されている部位は、窓まわりに置き換え得ることは当業者に自明であろう。
柱・間柱は、図１に示す胴差し・軒桁２と土台３の間に上下方向に位置して、真空断熱材ユニット５及び硬質ウレタン樹脂発泡層またはセルロースファイバー層６が収容される空間部を形成している。
【００１４】
柱・間柱と胴差し・軒桁２と土台３の屋外側を覆うように釘打ちにより貼りわたされたボード４に対して、接着剤又は両面テープ等により真空断熱材ユニット５が貼着される。それらの部材により形成された空間に硬質ウレタン樹脂が発泡吹きつけされ、あるいは、内壁面をシートで覆った状態でセルロースファイバーが密に吹き込まれてセルロースファイバー層が形成される。硬質ウレタン樹脂発泡層やセルロースファイバー層６は、真空断熱材ユニット５同士の隙間にも確実に進入するので断熱効果の低下を極力防ぐことができる。
硬質ウレタン樹脂発泡層やセルロースファイバー層６の完成の後、屋内の仕切りとなる内壁下地８を取り付けることができる。
【００１５】
図２は、真空断熱材ユニット５の一例を示している。グラスウール、ロックウール、シリカ等の材料からなり、所定の形状とされた芯材１５の外面をガス不透過性の機能を有する被覆材１６で被覆した後、ヒートシール部１７から図示しない真空ポンプで脱気する。所定の真空度が達成された後、ヒートシール部１７を熱溶着して真空度を確保することにより真空断熱材ユニット５が製作される。
【００１６】
アルミニウム複合遮熱シート２０は、図３に示すように、アルミニウム箔２０１と、透明なポリエチレンラミネート層２０２と、強度を有するポリエチレン繊維織布２０３の３層が積層されて構成されたシート体であり、軽量性、柔軟性、可撓性、耐水性を有する。このアルミニウム複合遮熱シート２０は、厚さが約０．１２ミリメートルときわめて薄いにも拘わらず、破裂強度と引張り強度が大きいことから施工性に優れるとともに、建築材料として使いやすいように、予め長尺なロール状に巻回された形で提供されている。
このアルミニウム複合遮熱シート２０は、約９６％という大きな熱反射率を有していることから、断熱構造の建物の屋外側に配設することで、大きな遮熱効果を発揮することができる。
【００１７】
＜工法＞
上述した構成からなる本実施形態の断熱構造の工法について、以下に詳述する。
まず、ボード４を、柱・間柱、胴差し・軒桁２、土台・窓まわり３の屋外側に、釘打機を用いて釘で固定する。またボードは、不燃石膏ボードやコンクリートボードなどを使用して柱・間柱、胴差し・軒桁、土台・窓まわりなどに釘打ちするので、柱・間柱、胴差し・軒桁、土台・窓まわりの補強のための筋交いなどを設ける必要がなく、ボードに真空断熱材ユニットを両面テープあるいは接着により取り付ける作業が筋交いにより制約されることがないから建築工事の内容が単純化されると共に効率化する。釘打ちされたボード４の縁部は、ブチルゴム系粘着テープ等により接着固定することにより、雨水等が屋内に侵入することを防止する。ボード４の屋外側には、アルミニウム複合遮熱シート２０または透湿防水シートを貼付することができる。この貼付作業は予め工作場で行うこともできるし、建築現場で行うこともできる。
【００１８】
引き続き、ボード４の屋内側に真空断熱材ユニット５をできるだけ隙間が出ないように接着又は両面テープで固定化する。
【００１９】
そして施工現場において、ボード４と真空断熱材ユニット５に向けて、硬質ウレタン樹脂発泡性液を発泡させて吹き付けることにより、硬質ウレタン樹脂発泡層６を隙間なく形成することができる。また、屋内側をシートで覆って、セルロースファイバーを密に吹き込むことでセルロースファイバー層を形成することもできる。
ボード４と外壁材７との間には、２０〜３０ミリメートル程度の間隔の通気胴縁９を形成するように外壁側に外壁材を取り付ける。これにより、夏に暖まった外壁材７から屋内側への輻射熱を、通気胴縁９の下方から上方へと通じる空気の流れにより屋外側に排出することができる。この通気胴縁９の空気の流れを作るためには、特段にファン等を設置する必要がなく、自然の空気の対流を利用することで足りるものである。
【００２０】
さらに、特に図示はしないが、ボード４を配設する木部にホウ素系化合物を主成分とする木材保存剤を塗布することとする。これにより、木部が結露等の水分により腐朽することを防止することができる。
【産業上の利用可能性】
【００２１】
本発明の断熱工法は、住宅を高度な断熱構造とすることにより、空調を省エネルギーで有効に使うことを可能とするから、今後ますますの利用が期待できるものである。
【符号の説明】
【００２２】
１    壁構造
２    胴差し・軒桁
３    土台・窓まわり
４    ボード
５    真空断熱材ユニット
６    硬質ウレタン樹脂発泡層、セルロースファイバー層
７    外壁材
８    内壁下地
９    通気胴縁
１５  芯材
１６  被覆材
１７  ヒートシール部
２０  アルミニウム複合遮熱シート
２０１  アルミニウム箔
２０２  ポリエチレンラミネート層
２０３  ポリエチレン繊維織布
【図１】
2015218533.tif 000003
【図２】
2015218533.tif 000004
【図３】
2015218533.tif 000005